【手続補正書】
【提出日】平成15年9月30日(2003.9.30)
【手続補正１】
【補正対象書類名】明細書
【補正対象項目名】特許請求の範囲
【補正方法】変更
【補正の内容】
【特許請求の範囲】
【請求項１】
少なくとも３層以上の熱可塑性樹脂層から構成される多層中空成形体であって、少なくとも１層は（イ）ポリフェニレンスルフィド樹脂組成物からなる層であり、少なくとも１層は（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物からなる層であり、少なくとも１層は（ハ）導電性フィラー及び／又は導電性ポリマーを必須成分として含有し、体積固有抵抗が１０10Ω・ｃｍ以下である導電性熱可塑性樹脂組成物から構成されることを特徴とする多層中空成形体。
【請求項２】
（ロ）層を構成するポリアミド樹脂が、アミド基１個当たりの炭素数が８〜１５の範囲である構造単位からなるポリアミド樹脂である請求項１記載の多層中空成形体。
【請求項３】
（イ）層を構成するポリフェニレンスルフィド樹脂組成物が、（Ａ）ポリフェニレンスルフィド樹脂を１００重量部に対し、（Ｂ）エポキシ基、酸無水物基、カルボキシル基及びその塩、カルボン酸エステルから選ばれる少なくとも１種の官能基を含有するオレフィン系共重合体を１〜２００重量部含有するポリフェニレンスルフィド樹脂組成物である請求項１または２記載の多層中空成形体。
【請求項４】
（イ）層を構成するポリフェニレンスルフィド樹脂組成物中の（Ｂ）官能基含有オレフィン系共重合体が、α−オレフィンおよびα，βー不飽和酸のグリシジルエステルを主構成成分とする（Ｂ１）エポキシ基含有オレフィン系共重合体である請求項３記載の多層中空成形体。
【請求項５】
（イ）層を構成するポリフェニレンスルフィド樹脂組成物中の（Ｂ１）エポキシ基含有オレフィン系共重合体が、α−オレフィン（１）とα，βー不飽和酸のグリシジルエステル（２）と更に下記一般式で示される単量体（３）を必須成分とするオレフィン系共重合体である請求項４記載の多層中空成形体。
【化１】
1998296889.tif 000001
（ここで、Ｒ1 は水素または低級アルキル基を示し、Ｘは−ＣＯＯＲ2 基、−ＣＮ基あるいは芳香族基から選ばれた基、またＲ2 は炭素数１〜１０のアルキル基を示す。）
【請求項６】
（イ）層を構成するポリフェニレンスルフィド樹脂組成物が、（Ｂ）官能基を含有するオレフィン系共重合体として（Ｂ１）エポキシ基を含有するオレフィン系共重合体と（Ｂ２）酸無水物基を含有するオレフィン系共重合体との少なくとも２種の官能基含有オレフィン系共重合体を必須成分として含有するポリフェニレンスルフィド樹脂組成物であって、（Ｂ１）と（Ｂ２）の重量％が（Ｂ１）：（Ｂ２）＝１〜９９：９９〜１（合計１００重量％）である請求項３〜５いずれか記載の多層中空成形体。
【請求項７】
（イ）層を構成するポリフェニレンスルフィド樹脂組成物が、更に（Ｃ）エポキシ基、酸無水物基、カルボキシル基及びその塩、およびカルボン酸エステル基を含有しないエラストマーを含有するポリフェニレンスルフィド樹脂組成物であって、（Ａ）ポリフェニレンスルフィド樹脂１００重量部に対し（Ｃ）エポキシ基、酸無水物基、カルボキシル基及びその塩、カルボン酸エステル基を含有しないエラストマーを１〜２００重量部含有し、かつ（Ｂ）官能基を含有するオレフィン系共重合体と（Ｃ）エポキシ基、酸無水物基、カルボキシル基及びその塩、カルボン酸エステル基を含有しないエラストマーの合計が（Ａ）ポリフェニレンスルフィド樹脂１００重量部に対し、２００重量部以下である請求項３〜６いずれか記載の多層中空成形体。
【請求項８】
（イ）層を構成するポリフェニレンスルフィド樹脂組成物が、更に（Ｄ）アミド結合、エステル結合、ウレタン結合から選ばれる少なくとも１種の結合様式で結合された繰り返し単位を主構成単位とする熱可塑性樹脂を、（Ａ）ポリフェニレンスルフィド樹脂１００重量部に対し、５〜２００重量部含有することを特徴とする請求項３〜７いずれか記載の多層中空成形体。
【請求項９】
（Ｄ）アミド結合、エステル結合、ウレタン結合から選ばれる少なくとも１種の結合様式で結合された繰り返し単位を主構成単位とする熱可塑性樹脂が、ポリアミド樹脂である請求項８記載の多層中空成形体。
【請求項１０】
（イ）層を構成するポリフェニレンスルフィド樹脂組成物に用いる（Ａ）ポリフェニレンスルフィド樹脂が、脱イオン化処理されたものであることを特徴とする請求項１〜９いずれか記載の多層中空成形体。
【請求項１１】
（ハ）層を構成する導電性熱可塑性樹脂組成物が、（Ｆ）熱可塑性樹脂４０〜９８重量％、（Ｇ）エポキシ基、酸無水物基、カルボキシル基及びその塩、カルボン酸エステルから選ばれる少なくとも１種の官能基を含有するオレフィン系共重合体６０〜２重量％、（Ｈ）エポキシ基、酸無水物基、カルボキシル基及びその塩、カルボン酸エステル基を含有しないエラストマー５８〜０重量％配合した樹脂組成物１００重量部に対し（Ｉ）導電性フィラーまたは導電性ポリマーを１〜１００重量部配合した導電性熱可塑性樹脂組成物である請求項１〜１０いずれか記載の多層中空成形体。
【請求項１２】
（ハ）層を構成する導電性熱可塑性樹脂組成物で用いられる（Ｉ）導電性フィラーまたは導電性ポリマーが、非繊維状或いは長さ／直径比が２００以下の繊維状のいずれかの形態の導電性フィラーであることを特徴とする請求項１〜１１いずれか記載の多層中空成形体。
【請求項１３】
（ハ）層を構成する導電性熱可塑性樹脂組成物で用いられる（Ｉ）導電性フィラーがカーボンブラックであることを特徴とする請求項１２記載の多層中成形体。
【請求項１４】
（ハ）層を構成する導電性熱可塑性樹脂組成物で用いられる（Ｉ）導電性フィラーが、表面積（ＢＥＴ法）５００ｍ2 ／ｇ以上のカーボンブラックであることを特徴とする請求項１３記載の多層中空成形体。
【請求項１５】
（ハ）層を構成する導電性熱可塑性樹脂組成物で用いられる（Ｆ）熱可塑性樹脂が、ポリフェニレンスルフィド、ポリアミド樹脂、熱可塑性ポリエステル樹脂から選ばれる少なくとも１種以上であることを特徴とする請求項１〜１４いずれか記載の多層中空成形体。
【請求項１６】
（ハ）層を構成する（Ｆ）熱可塑性樹脂がポリフェニレンスルフィド樹脂であり、かつ（Ｇ）官能基を含有するオレフィン系共重合体として（Ｂ１）エポキシ基を含有するオレフィン系共重合体と（Ｂ２）酸無水物基を含有するオレフィン系共重合体との少なくとも２種の官能基含有オレフィン系共重合体を必須成分として含有するポリフェニレンスルフィド樹脂組成物であって、（Ｂ１）と（Ｂ２）の重量％が（Ｂ１）：（Ｂ２）＝１〜９９：９９〜１（合計１００重量％）である請求項１１〜１５いずれか記載の多層中空成形体。
【請求項１７】
（ハ）層を構成する導電性熱可塑性樹脂組成物の体積固有抵抗が１００Ω・ｃｍを越え、１０10Ω・ｃｍ以下である請求項１〜１６いずれか記載の導電多層中空成形体。
【請求項１８】
（イ）ポリフェニレンスルフィド樹脂組成物からなる中間層、（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物からなる最外層、および（ハ）導電性フィラー及び／又は導電性ポリマーを必須成分として含有する導電性熱可塑性樹脂組成物からなる最内層の３層から構成される請求項１〜１７いずれか記載の多層中空成形体。
【請求項１９】
（イ）ポリフェニレンスルフィド樹脂組成物からなる最内層、（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物からなる最外層、および（ハ）導電性フィラー及び／又は導電性ポリマーを必須成分として含有する導電性熱可塑性樹脂組成物からなる中間層の３層から構成される請求項１〜１７いずれか記載の多層中空成形体。
【請求項２０】
多層中空成形体が、共押出成形法により製造された多層管状成形体である請求項１〜１９いずれか記載の多層中空成形体。
【請求項２１】
多層中空成形体が、その全厚みが０．２ｍｍ以上３ｍｍ以下であり、かつ導電性を有する層の厚みが全厚みの１％以上５０％以下である請求項１〜２０いずれか記載の多層中空成形体。
【請求項２２】
燃料チューブとして用いることを特徴とする請求項１〜２１いずれか記載の多層中空成形体。
【手続補正２】
【補正対象書類名】明細書
【補正対象項目名】０００６
【補正方法】変更
【補正の内容】
【０００６】
一方、ポリフェニレンスルフィド樹脂（以下、ＰＰＳ樹脂と略称する）は、耐熱性、耐熱水性、耐薬品性、難燃性および電気特性などが優れたエンジニアリングプラスチックであり、電気・電子部品、自動車部品などの用途に対し、その需要が高まりつつある。また、最近では、このＰＰＳ樹脂の特長を活かした管状成形体が、特開平２−２００４１５号公報などに開示されている。


【手続補正３】
【補正対象書類名】明細書
【補正対象項目名】０００８
【補正方法】変更
【補正の内容】
【０００８】
そこで我々は、耐熱性、耐熱水性、耐薬品性、耐アルコールガソリン透過性に優れるＰＰＳ樹脂層と靱性に優れる特定の熱可塑性樹脂および導電性樹脂組成物からなる層を積層することにより上記問題点を全て解決できると考え、検討を開始した。


【手続補正４】
【補正対象書類名】明細書
【補正対象項目名】０００９
【補正方法】変更
【補正の内容】
【０００９】
ＰＰＳ樹脂と他の熱可塑性樹脂の積層構造体はこれまで検討がなされており、例えば特開昭５９−１４５１３１号公報にはＰＰＳ管状体の表面に他の熱可塑性樹脂を被覆する方法が開示されている。しかし特開昭５９−１４５１３１号公報には単にＰＰＳ樹脂製管状体の表面に他の樹脂を積層することにより、ＰＰＳの特性が活かされ、かつ強度、コスト的に優れた管状体が得られると記載されているに過ぎず、層間接着性、低温靱性、導電性については何ら配慮されていない。


【手続補正５】
【補正対象書類名】明細書
【補正対象項目名】００１２
【補正方法】変更
【補正の内容】
【００１２】
【課題を解決するための手段】
即ち本発明は、少なくとも３層以上の熱可塑性樹脂層から構成される多層中空成形体であって、少なくとも１層は（イ）ポリフェニレンスルフィド樹脂組成物からなる層であり、少なくとも１層は（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物からなる層であり、少なくとも１層は（ハ）導電性フィラー及び／又は導電性ポリマーを必須成分として含有し、体積固有抵抗が１０10Ω・ｃｍ以下である導電性熱可塑性樹脂組成物から構成されることを特徴とすると多層中空成形体を提供する。
【手続補正６】
【補正対象書類名】明細書
【補正対象項目名】００１９
【補正方法】変更
【補正の内容】
【００１９】
更には（ハ）層を構成する導電性熱可塑性樹脂組成物が、（Ｆ）熱可塑性樹脂４０〜９５重量％、（Ｇ）エポキシ基、酸無水物基、カルボキシル基及びその塩、カルボン酸エステルから選ばれる少なくとも１種の官能基を含有するオレフィン系共重合体６０〜５重量％、（Ｈ）エポキシ基、酸無水物基、カルボキシル基及びその塩、カルボン酸エステル基を含有しないエラストマー５８〜０重量％配合した樹脂組成物１００重量部に対し（Ｉ）導電性フィラーまたは導電性ポリマーを１〜１００重量部配合した導電性熱可塑性樹脂組成物である上記多層中空成形体を提供する。


【手続補正７】
【補正対象書類名】明細書
【補正対象項目名】００２０
【補正方法】変更
【補正の内容】
【００２０】
更には（ハ）層を構成する導電性熱可塑性樹脂組成物で用いられる（Ｉ）導電性フィラーまたは導電性ポリマーが、粉状、粒状、板状、鱗片状、或いは長さ／直径比が２００以下の繊維状のいずれかの形態の導電性フィラーであることを特徴とする上記多層中空成形体を提供する。


【手続補正８】
【補正対象書類名】明細書
【補正対象項目名】００２１
【補正方法】変更
【補正の内容】
【００２１】
更には（ハ）層を構成する導電性熱可塑性樹脂組成物で用いられる（Ｆ）熱可塑性樹脂が、ポリフェニレンスルフィド、ポリアミド樹脂、熱可塑性ポリエステル樹脂から選ばれる少なくとも１種以上であることを特徴とする上記多層中空成形体を提供する。


【手続補正９】
【補正対象書類名】明細書
【補正対象項目名】００２２
【補正方法】変更
【補正の内容】
【００２２】
更には（ハ）層を構成する（Ｆ）熱可塑性樹脂がポリフェニレンスルフィド樹脂であり、かつ（Ｇ）官能基を含有するオレフィン系共重合体として（Ｂ１）エポキシ基を含有するオレフィン系共重合体と（Ｂ２）酸無水物基を含有するオレフィン系共重合体との少なくとも２種の官能基含有オレフィン系共重合体を必須成分として含有するポリフェニレンスルフィド樹脂組成物であって、（Ｂ１）と（Ｂ２）の重量％が（Ｂ１）：（Ｂ２）＝１〜９９：９９〜１（合計１００重量％）である上記多層中空成形体。


【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】変更
【補正の内容】
【００２４】
更には（イ）ポリフェニレンスルフィド樹脂組成物からなる中間層、（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物からなる最外層、および（ハ）導電性フィラー及び／又は導電性ポリマーを必須成分として含有する導電性熱可塑性樹脂組成物からなる最内層の３層から構成される上記多層中空成形体を提供する。


【手続補正１２】
【補正対象書類名】明細書
【補正対象項目名】００２５
【補正方法】変更
【補正の内容】
【００２５】
更には（イ）ポリフェニレンスルフィド樹脂組成物からなる最内層、（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物からなる最外層、および（ハ）導電性フィラー及び／又は導電性ポリマーを必須成分として含有する導電性熱可塑性樹脂組成物からなる中間層の３層から構成される上記多層中空成形体を提供する。


【手続補正１３】
【補正対象書類名】明細書
【補正対象項目名】００２９
【補正方法】変更
【補正の内容】
【００２９】
【発明の実施の形態】
本発明の基本構成は、少なくとも３層以上の熱可塑性樹脂層から構成される多層中空成形体であって、少なくとも１層は（イ）ポリフェニレンスルフィド樹脂組成物からなる層であり、少なくとも１層は（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物からなる層であり、少なくとも１層は（ハ）導電性フィラー及び／又は導電性ポリマーを必須成分として含有し、体積固有抵抗が１０10Ω・ｃｍ以下である導電性熱可塑性樹脂組成物から構成されることを特徴とすると多層中空成形体である。


【手続補正１４】
【補正対象書類名】明細書
【補正対象項目名】００３０
【補正方法】変更
【補正の内容】
【００３０】
まず（ロ）層を構成するポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物について説明する。


【手続補正１５】
【補正対象書類名】明細書
【補正対象項目名】００３１
【補正方法】変更
【補正の内容】
【００３１】
（ロ）層を構成する熱可塑性樹脂としては、ポリアミド樹脂、熱可塑性ポリエステル樹脂、熱可塑性ポリウレタン樹脂、およびポリオレフィン樹脂から選ばれた少なくとも１種である。
【手続補正１６】
【補正対象書類名】明細書
【補正対象項目名】００４２
【補正方法】変更
【補正の内容】
【００４２】
かかる（ロ）層を構成するポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物は、各樹脂に適した可塑剤などの添加剤を含んでいても良い。


【手続補正１７】
【補正対象書類名】明細書
【補正対象項目名】００４３
【補正方法】変更
【補正の内容】
【００４３】
また（ロ）層を構成するポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物が、ヤング率１８０００ｋｇ／ｃｍ2 以下、更に好ましくは１５０００ｋｇ／ｃｍ2 以下の熱可塑性樹脂あるいは熱可塑性樹脂組成物であることは、チューブ成形体の耐キンク性の点で好ましい。


【手続補正１８】
【補正対象書類名】明細書
【補正対象項目名】００４４
【補正方法】変更
【補正の内容】
【００４４】
（ロ）層においてポリアミド樹脂、熱可塑性ポリエステル樹脂、熱可塑性ポリウレタン樹脂、およびポリオレフィン樹脂から選ばれた少なくとも１種の熱可塑性樹脂を主構成成分とする熱可塑性樹脂組成物とは、樹脂成分中で上記熱可塑性樹脂のいずれかが、最大の重量割合を占めている熱可塑性樹脂組成物を示す。なお、上記の熱可塑性樹脂とポリフェニレンスルフィド樹脂が同量の場合は、ポリフェニレンスルフィド樹脂が最大重量割合を占めるものとみなす。また化学構造が同じであれば分子量等が異なっていても同成分と見なすが、例えばオレフィン系共重合体であっても化学構造が異なるものは異種成分とみなす。


【手続補正１９】
【補正対象書類名】明細書
【補正対象項目名】００６９
【補正方法】変更
【補正の内容】
【００６９】
かかる２種の官能基を含有するオレフィン系共重合体を併用する場合、（Ｂ１）と（Ｂ２）の重量％は（Ｂ１）：（Ｂ２）＝１〜９９：９９〜１（合計１００重量％）の範囲が選択され、特に（Ｂ１）：（Ｂ２）＝５〜５０：９５〜５０（合計１００重量％）の範囲がより好ましい。


【手続補正２０】
【補正対象書類名】明細書
【補正対象項目名】０１０１
【補正方法】変更
【補正の内容】
【０１０１】
またかかる導電樹脂組成物は、十分な帯電防止性能を得る意味で、その体積固有抵抗が１０10Ω・ｃｍ以下である。但し上記導電性フィラー、導電性ポリマーの配合は一般に強度、流動性の悪化を招きやすい。そのため目標とする導電レベルが得られれば、上記導電性フィラー、導電性ポリマーの配合量はできるだけ少ない方が望ましい。目標とする導電レベルは用途によって異なるが、通常体積固有抵抗が１００Ω・ｃｍを越え、１０10Ω・ｃｍ以下の範囲である。


【手続補正２１】
【補正対象書類名】明細書
【補正対象項目名】０１０６
【補正方法】変更
【補正の内容】
【０１０６】
本発明の導電多層中空成形体の層構成としては、（イ）ポリフェニレンスルフィド樹脂組成物からなる中間層、（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を構成成分として含有する熱可塑性樹脂組成物からなる最外層、および（ハ）導電性フィラー及び／又は導電性ポリマーを必須成分として含有する導電性熱可塑性樹脂組成物からなる最内層の３層からなる構成、あるいは（イ）ポリフェニレンスルフィド樹脂組成物からなる最内層、（ロ）ポリアミド樹脂、熱可塑性ポリエステル樹脂、熱可塑性ポリウレタン樹脂、およびポリオレフィン樹脂から選ばれた少なくとも１種の熱可塑性樹脂あるいはポリアミド樹脂、熱可塑性ポリエステル樹脂、熱可塑性ポリウレタン樹脂、およびポリオレフィン樹脂から選ばれた少なくとも１種の熱可塑性樹脂を構成成分として含有する熱可塑性樹脂組成物からなる最外層、および（ハ）導電性フィラー及び／又は導電性ポリマーを必須成分として含有する導電性熱可塑性樹脂組成物からなる中間層の３層などの構成が例示できるが、これに限定されるものではない。